(57)【要約】【課題】  パネル面のどの方向においても空間周波数が高く精細に感じられる画質の画像を表示できるプラズマディスプレイパネル装置を提供する。【解決手段】  前面ガラス基板１０と背面ガラス基板１３の基板の間の放電空間内にマトリクス状に配列された放電セルＣ１が形成され、この放電セルＣ１内にそれぞれ赤，緑，青の蛍光体層１６Ｒ，１６Ｇ，１６Ｂが、列方向において隣接する放電セルＣ１間で互いに異なるように形成され、一つの画素が、行方向に隣接して並んだそれぞれ赤の蛍光体層１６Ｒ，緑の蛍光体層１６Ｇ，青の蛍光体層１６Ｂが形成された三つの放電セルＣ１によって構成され、画素画素Ｇ１，Ｇ２，Ｇ３が、行方向および列方向にマトリクス状に配列されている。【選択図】    図４
2005339945.tif 000002
【特許請求の範囲】
【請求項１】
互いに平行に対向される一対の基板の間の放電空間内に行方向および列方向にマトリクス状に配列された単位発光領域が形成され、この各単位発光領域内にそれぞれ赤，緑，青の三原色の蛍光体層が形成され、赤の蛍光体層が形成された単位発光領域および緑の蛍光体層が形成された単位発光領域，青の蛍光体層が形成された単位発光領域の三つの単位発光領域によって一つの画素が構成されているプラズマディスプレイパネル装置において、
列方向において隣接する前記単位発光領域に互いに異なる色の蛍光体層が形成され、
前記一つの画素が、行方向に隣接して並んだそれぞれ赤の蛍光体層，緑の蛍光体層，青の蛍光体層が形成された三つの単位発光領域によって構成され、
各画素が、行方向および列方向にマトリクス状に配列されていることを特徴とするプラズマディスプレイパネル装置。
【請求項２】
前記一対の基板の間に、列方向に延びる縦壁部と行方向に延びる横壁部によって略格子形状に成形されて単位発光領域を区画する隔壁が形成され、この隔壁によって区画された各単位発光領域内に、赤，緑，青の蛍光体層がそれぞれ形成されている請求項１に記載のプラズマディスプレイパネル装置。
【請求項３】
前記一対の基板の間に、複数の行電極対およびこの行電極対の一方の行電極との間でそれぞれ発光を行う単位発光領域を選択するためのアドレス放電を発生させる複数の列電極が設けられ、
各列電極がそれぞれ列方向に沿って延びて、異なる色の蛍光体層が形成された単位発光領域に対向されており、
この各列電極に対して行電極との間で選択的にアドレス放電を発生させるためのアドレス・データを出力するアドレス・データ出力部材と、このアドレス・データ出力部材から出力されるアドレス・データを各画素の単位発光領域に形成された赤，緑，青の蛍光体層の順序に対応して切り替えて列電極に出力するデータ切替部材とを備えている請求項１に記載のプラズマディスプレイパネル装置。
【請求項４】
前記一対の基板の間に、複数の行電極対およびこの行電極対の一方の行電極との間でそれぞれ発光を行う単位発光領域を選択するためのアドレス放電を発生させる複数の列電極が設けられ、
この列電極が、赤の蛍光体層が形成された単位発光領域にのみ対向するように屈曲しながら列方向に延びる赤用列電極と、緑の蛍光体層が形成された単位発光領域にのみ対向するように屈曲しながら列方向に延びる緑用列電極と、青の蛍光体層が形成された単位発光領域にのみ対向するように屈曲しながら列方向に延びる青用列電極とによって構成されている請求項１に記載のプラズマディスプレイパネル装置。
【請求項５】
前記一対の基板の間に、少なくとも行方向に延びる横壁部によって列方向に隣接する単位発光領域間を区画する隔壁が形成され、
前記赤用列電極および緑用列電極，青用列電極が、それぞれ、各単位発光領域内の蛍光体層に対向する位置において列方向に延び、隔壁の横壁部に対向する位置において行方向に延びることによって略階段状に形成されている請求項４に記載のプラズマディスプレイパネル装置。
【請求項６】
前記赤用列電極および緑用列電極，青用列電極が、列方向に並ぶ画素毎に一組ずつ形成されている請求項４に記載のプラズマディスプレイパネル装置。
【請求項７】
前記赤用列電極および緑用列電極，青用列電極が、一対の基板の一方の基板上に互いに基板の厚さ方向に離間した状態で形成され、各列電極が、三層に形成された保護層によってそれぞれ被覆されている請求項４に記載のプラズマディスプレイパネル装置。
【発明の詳細な説明】
【技術分野】
【０００１】
この発明は、面放電方式交流型プラズマディスプレイパネル装置に関する。
【背景技術】
【０００２】
図１は、従来の面放電方式交流型プラズマディスプレイパネル（以下、ＰＤＰという）の構成を示す斜視図である。
【０００３】
この図１のＰＤＰは、表示面となる前面ガラス基板１の背面に、行方向に延びるとともに列方向に並設された複数の行電極対（Ｘ，Ｙ）が形成されている。
【０００４】
この行電極対（Ｘ，Ｙ）を構成する行電極ＸとＹは、それぞれ、行方向に帯状に延びる透明電極Ｘａ，Ｙａと、この透明電極Ｘａ，Ｙａに接続されたバス電極Ｘｂ，Ｙｂとから構成されており、透明電極Ｘａ，Ｙａの互いに対向する等間隔位置に、相手の行電極側に突出して放電ギャップｇを介して対向される放電部Ｘａ１，Ｙａ１がそれぞれ一体的に形成されている。
【０００５】
そして、前面ガラス基板１の背面側に誘電体層２が形成されていて、行電極対（Ｘ，Ｙ）がこの誘電体層２によって被覆されており、さらに、誘電体層２の背面にＭｇＯからなる保護層３が形成されている。
【０００６】
前面ガラス基板１と放電空間を介して対向する背面ガラス基板４の表示側の面上には、それぞれ、前面ガラス基板１側の行電極Ｘ，Ｙの放電部Ｘａ１，Ｙａ１に対向する位置において列方向に延びるとともに行方向に並設された複数の列電極Ｄが形成され、さらに、隣接する各列電極Ｄの間の中央位置において、列方向に延びるとともに行方向に並設された複数の隔壁５が形成されている。
【０００７】
この隔壁５の間の背面ガラス基板４の表面と隔壁５の側面に、それぞれ赤，緑，青に色分けされた蛍光体層６Ｒ，６Ｇ，６Ｂが、行方向に順に並ぶように形成されている。
【０００８】
放電空間内には、キセノン（Ｘｅ）を含む放電ガスが封入されている。
【０００９】
そして、このＰＤＰには、放電空間内において、放電ギャップｇを介して互いに対向する各行電極Ｘ，Ｙの放電部Ｘａ１，Ｙａ１に対向する部分毎に、放電セルＣが形成されている（例えば特許文献１参照）。
【００１０】
以上のような従来のＰＤＰは、図２に示されるように、隣接する各隔壁５の間の部分に蛍光体層６Ｒ，６Ｇ，６Ｂがそれぞれ列方向に延びるように形成されており、従って、同色の蛍光体層を有する放電セルＣが列方向に配列された構成になっている。
【００１１】
そして、行方向において隣接する三個の放電セルＣ、すなわち、行方向に並んだ蛍光体層６Ｒ，６Ｇ，６Ｂによって三原色の赤，緑，青に色分けされた三個の放電セルＣによって、一画素Ｇが構成されている。
【００１２】
ここで、一般に、人間の目の感度は、縦方向と横方向において高く、斜め方向において低いという特性を有している。
【００１３】
このため、ＰＤＰに例えば赤，緑，青のうちの単色を表示するためのラスタ信号が入力された場合、表示する色の蛍光体層６Ｒまたは６Ｇ，６Ｂを有する放電セルＣ（例えば、緑色の放電セルＣ）のみが発光し、他の色の蛍光体層を有する放電セルＣ（例えば、赤および青色の放電セルＣ）は発光しないため、この発光しない放電セルＣが列方向に並んでいる部分に黒いラインが帯状に形成されることになる。
【００１４】
このため、従来のＰＤＰでは、人間の目には、空間周波数が低い、すなわち、画質が粗いと感じられる画像が表示されてしまうという問題が生じる。
【００１５】
【特許文献１】特開平１１−２４２９３３号公報
【発明の開示】
【発明が解決しようとする課題】
【００１６】
この発明は、上記のような従来の面放電方式交流型ＰＤＰにおける問題点を解決するために為されたものである。
【課題を解決するための手段】
【００１７】
この発明（請求項１に記載の発明）によるプラズマディスプレイパネル装置は、上記目的を達成するために、互いに平行に対向される一対の基板の間の放電空間内に行方向および列方向にマトリクス状に配列された単位発光領域が形成され、この各単位発光領域内にそれぞれ赤，緑，青の三原色の蛍光体層が形成され、赤の蛍光体層が形成された単位発光領域および緑の蛍光体層が形成された単位発光領域，青の蛍光体層が形成された単位発光領域の三つの単位発光領域によって一つの画素が構成されているプラズマディスプレイパネルにおいて、列方向において隣接する前記単位発光領域に互いに異なる色の蛍光体層が形成され、前記一つの画素が、行方向に隣接して並んだそれぞれ赤の蛍光体層，緑の蛍光体層，青の蛍光体層が形成された三つの単位発光領域によって構成され、各画素が、行方向および列方向にマトリクス状に配列されていることを特徴としている。
【発明を実施するための最良の形態】
【００１８】
この発明は、行電極対が形成された前面ガラス基板と列電極が形成された背面ガラス基板との間の放電空間が、縦壁部と横壁部によって略格子形状に成形された隔壁によって区画されて、放電セルがマトリクス状に配列され、各放電セル内にそれぞれ赤，緑，青の三原色の蛍光体層が、列方向において隣接する放電セル間で蛍光体層の色が同じにならないように形成され、一つの画素が、行方向に隣接して並んだそれぞれ赤の蛍光体層，緑の蛍光体層，青の蛍光体層が形成された三つの放電セルによって構成されているとともに、各画素が、行方向および列方向にマトリクス状に配列されているＰＤＰ装置を、その最良の実施形態としている。
【００１９】
この実施形態によるＰＤＰ装置は、行方向および列方向にマトリクス状に配置された放電セル内に、列方向において隣接する放電セル間で色が互いに異なるなるように赤，緑，青の蛍光体層が形成されていることによって、例えば、単色のラスタ信号によって画像表示を行う場合等に、従来のＰＤＰでは同じ色の発光が列方向に筋状に行われていたのに対し、同じ色の発光が隣接する表示ライン間でずれた位置で行われるようになる。
【００２０】
この際、斜め方向に発光が行われていない放電セルが存在しても、人間の目は、縦方向および横方向における視覚感度に対して斜め方向に対する視覚感度が低いことから、縦方向に発光が行われていない放電セルが存在する場合よりも気にならなくなり、この結果、上記ＰＤＰ装置によって、空間周波数が高く精細に感じられる画像表示が行われるようになる。
【実施例１】
【００２１】
図３および４は、この発明によるＰＤＰの実施形態における第１実施例を示しており、図３はこのＰＤＰの構成を前面ガラス基板側と背面ガラス基板側を分離した状態で示す斜視図であり、図４はこのＰＤＰの各放電セル内に形成された蛍光体層の色の配置を示す図である。
【００２２】
図３において、ＰＤＰは、前面ガラス基板１０の背面側に行電極対（Ｘ１，Ｙ１）とこの行電極対（Ｘ１，Ｙ１）を被覆する誘電体層１１および保護層１２が形成されており、背面ガラス基板１３上に、列電極Ｄ１とこの列電極Ｄ１を被覆する列電極保護層１４が形成され、この列電極保護層１４上に、列方向に延びる縦壁部１５Ａと行方向に延びる横壁部１５Ｂとによって略格子形状に成形された隔壁１５が形成されており、この隔壁１５によって、前面ガラス基板１０と背面ガラス基板１３の間の放電空間が放電セルＣ１毎に区画されている。
【００２３】
この隔壁１５によって区画された各放電セルＣ１内に、列電極保護層１４の表面と縦壁部１５Ａおよび横壁部１５Ｂの側面を覆うように、赤（Ｒ），緑（Ｇ），青（Ｂ）に色分けされた蛍光体層１６Ｒ，１６Ｇ，１６Ｂが行方向に順に並ぶように形成されており、この行方向に一列に並ぶ放電セルＣ１によってそれぞれ一行の表示ラインＬが構成されている。
【００２４】
そして、この蛍光体層１６Ｒ，１６Ｇ，１６Ｂは、列方向において隣接する放電セルＣ１間で互いに異なるなるように、すなわち、図４に示される例では、同じ色の蛍光体層が上側の表示ラインＬよりも下側の表示ラインＬにおいて左方向に一列ずつずれるように、配置されている。
【００２５】
従って、図４の例では、列方向においても、蛍光体層の色が、それぞれ、赤（Ｒ），緑（Ｇ），青（Ｂ）の順に配列されている。
【００２６】
このＰＤＰにおいて、一画素は、従来のＰＤＰと同様に行方向に並んだ三個の放電セルＣ１によって構成され、パネル面において行方向および列方向にマトリクス状に配列されるが、上記のような蛍光体層１６Ｒ，１６Ｇ，１６Ｂの配列によって、上から列方向に順に並ぶ画素Ｇ１およびＧ２，Ｇ３は、それぞれの色の配置が、Ｇ１（Ｒ，Ｇ，Ｂ），Ｇ２（Ｇ，Ｂ，Ｒ），Ｇ３（Ｂ，Ｒ，Ｇ）のように行方向に一個ずつずれた態様になっている。
【００２７】
なお、上記のように列方向に沿って並んだ異なる色の蛍光体層１６Ｒ，１６Ｇ，１６Ｂは、隔壁１５の横壁部１５Ｂによってそれぞれの間が仕切られることにより、列方向に隣接する他の蛍光体層との間に混色が生じるのが防止されている。
【００２８】
図５は、このＰＤＰの駆動装置を示すブロック図である。
【００２９】
この図５の駆動装置２０は、入力してくるアナログ映像信号のＡ／Ｄ変換処理を行うＡ／Ｄ変換回路２１と、Ａ／Ｄ変換回路２１から出力されてくるディジタル映像信号に対してサブフィールド表示法における１フィールド毎の輝度階調に対応するモード（例えば８ビット）のディジタル・データに変換する階調処理を行う階調処理回路２２と、階調処理回路２２から階調処理されたディジタル映像信号が入力されるフレーム・メモリ回路２３と、このフレーム・メモリ回路２３の制御パルス信号および列電極ドライバ駆動信号，Ｘ行電極ドライバ駆動信号，Ｙ行電極ドライバ駆動信号をそれぞれ生成するパルス生成回路２４と、ＰＤＰの各行電極Ｘ１に接続されたＸ行電極ドライバ２５と、各行電極Ｙ１に接続されたＹ行電極ドライバ２６と、各列電極Ｄ１に接続された列電極ドライバ２７とを備え、さらに、フレーム・メモリ回路２３と列電極ドライバ２７の間に接続されたデータ切替回路２８を備えている。
【００３０】
次に、上記駆動装置によるＰＤＰの駆動方法について説明を行う。
【００３１】
図５において、入力されてきたアナログの映像信号は、先ず、Ａ／Ｄ変換回路２１において、Ａ／Ｄ変換処理が行われて、ディジタル映像信号が生成される。
【００３２】
このディジタル映像信号は、次に階調処理回路２２に入力されて所定の階調処理（例えば８ビット等のディジタル・データへの変換処理）が行われた後、フレーム・メモリ回路２３に入力される。
【００３３】
このフレーム・メモリ回路２３は、パルス生成回路２４から入力されてくる制御パルス信号に基づいて階調処理回路２２から入力されてくるディジタル映像信号からアドレス・データを取り込んでゆくとともに、この取り込んだアドレス・データを順次読み出してデータ切替回路２８に出力する。
【００３４】
そして、このデータ切替回路２８は、フレーム・メモリ回路２３から制御パルス信号に同期して出力されてくるアドレス・データ信号をあらかじめ設定されている順序で切り替えて列電極ドライバ２７に出力する。
【００３５】
このデータ切替回路２８におけるアドレス・データ信号の切り替え操作については、後で詳述する。
【００３６】
フレーム・メモリ回路２３から出力される列電極ドライバ駆動信号は、列電極ドライバ２７に入力され、列電極ドライバ２７は、この列電極ドライバ駆動信号とデータ切替回路２８を介して入力されてくるアドレス・データ信号に基づいて、この列電極ドライバ２７に接続されている各列電極Ｄ１１〜Ｄ１ｍに選択的にデータ・パルスを印加する。
【００３７】
フレーム・メモリ回路２３から出力されるＸ行電極ドライバ駆動信号は、Ｘ行電極ドライバ２５に入力され、Ｘ行電極ドライバ２５は、このＸ行電極ドライバ駆動信号に基づいて、このＸ行電極ドライバ２５に接続されている各行電極Ｘ１１〜Ｘ１ｎに放電維持パルスを順に印加してゆく。
【００３８】
フレーム・メモリ回路２３から出力されるＹ行電極ドライバ駆動信号は、Ｙ行電極ドライバ２６に入力され、Ｙ行電極ドライバ２６は、このＹ行電極ドライバ駆動信号に基づいて、このＹ行電極ドライバ２６に接続されている各行電極Ｙ１１〜Ｙ１ｎに走査パルスと放電維持パルスを順に印加してゆく。
【００３９】
サブフイールド法の１フィールドの表示期間が分割された各サブフィールドにおいて、一斉リセット期間の後、放電を発生させる放電セルＣ１を選択するアドレス期間に、Ｙ行電極ドライバ２６の駆動によって、行電極Ｙ１１〜Ｙ１ｎに走査パルスが順次が印加されるとともに、列電極ドライバ２７によって、列電極Ｄ１１〜Ｄ１ｍに選択的にデータ・パルスが印加され、走査パルスが印加されている行電極Ｙ１１〜Ｙ１ｎとデータ・パルスが印加されている列電極Ｄ１１〜Ｄ１ｍが交差している部分の放電セルＣ１内において、アドレス放電が発生される。
【００４０】
これによって、このアドレス放電が発生された放電セルＣ１に面する部分の誘電体層１１に壁電荷が形成される（または、形成されていた壁電荷が消去される）。
【００４１】
これによって、パネル面に、壁電荷を有する放電セル（発光セル）Ｃ１と壁電荷が消去された放電セル（非発光セル）Ｃ１とが、映像信号のアドレス・データ信号に対応してパネル面に分布される。
【００４２】
この後、次の維持放電期間において、Ｘ行電極ドライバ２５の駆動によって行電極Ｘ１１〜Ｘ１ｎに放電維持パルスが順に印加され、同時に、Ｙ行電極ドライバ２６の駆動によって行電極Ｙ１１〜Ｙ１ｎに放電維持パルスが順に印加される。
【００４３】
これによって、発光セルである放電セルＣ１内において、対になっている行電極Ｘ１，Ｙ１間で維持発光放電が発生され、放電セルＣ１内の蛍光体層１６Ｒ，１６Ｇ，１６Ｂが発光して、パネル面に映像信号に対応した画像が形成される。
【００４４】
データ切替回路２８は、上記のようなＰＤＰ駆動装置の駆動時において、サブフィールドのアドレス期間に、互いに蛍光体層１６Ｒ，１６Ｇ，１６Ｂの配置が異なる隣接する三行の表示ラインＬに対して、それぞれ、以下のような態様で、アドレス・データ信号のＲ，Ｇ，Ｂの順に並んでいるアドレス・データの順序の切り替えを行う。
【００４５】
すなわち、データ切替回路２８は、蛍光体層の色の配置が（Ｒ，Ｇ，Ｂ）となっている画素Ｇ１が配列されている一行目の表示ラインに対するアドレス・データ信号に対しては、図６（ａ）に示されるように、それぞれ、のアドレス・データの順序を切り替えることなく通過させて列電極ドライバ２７に入力する。
【００４６】
データ切替回路２８は、蛍光体層の色の配置が（Ｇ，Ｂ，Ｒ）となっている画素Ｇ２が配列されている二行目の表示ラインに対するアドレス・データ信号に対しては、図６（ｂ）に示されるように、Ｒ，Ｇ，Ｂの順に並んでいるアドレス・データ信号のアドレス・データの順序を、画素Ｇ２の蛍光体層の色の配置に合わせてＧ，Ｂ，Ｒの順序になるように切り替えて、列電極ドライバ２７に入力する。
【００４７】
さらに、データ切替回路２８は、蛍光体層の色の配置が（Ｂ，Ｒ，Ｇ）となっている画素Ｇ３が配列されている三行目の表示ラインに対するアドレス・データ信号に対しては、図６（ｃ）に示されるように、Ｒ，Ｇ，Ｂの順に並んでいるアドレス・データ信号のアドレス・データの順序を、画素Ｇ３の蛍光体層の色の配置に合わせてＢ，Ｒ，Ｇの順序になるように切り替えて、列電極ドライバ２７に入力する。
【００４８】
以上のように、上記ＰＤＰ装置によれば、行方向および列方向にマトリクス状に配置された放電セルＣ１内に、列方向において隣接する放電セルＣ１間で色が互いに異なるなるように蛍光体層１６Ｒ，１６Ｇ，１６Ｂが形成されており、発光を行わせる放電セルＣ１を選択するためのアドレス・データ信号のアドレス・データの順序を、データ切替回路２８によって、一画素を構成している放電セルＣ１の蛍光体層１６Ｒ，１６Ｇ，１６Ｂの順序に合わせて切り替えるようになっていることによって、例えば、単色のラスタ信号によって画像表示を行う場合等に、従来のＰＤＰでは同じ色の発光が列方向に筋状に行われていたのに対し、同じ色の発光が隣接する表示ラインＬ間でずれた位置で行われるようになる。
【００４９】
この際、斜め方向に発光を行わない放電セルＣ１が並んでも、人間の目は、縦方向および横方向における視覚感度に対して斜め方向に対する視覚感度が低いことから、縦方向に発光を行わない放電セルＣ１が並ぶ場合よりも気にならなくなり、この結果、上記ＰＤＰ装置は、空間周波数が高く精細に感じられる画像の表示を行うことが出来るようになる。
【００５０】
なお、上記ＰＤＰ装置において、放電セルＣ１の蛍光体層１６Ｒ，１６Ｇ，１６Ｂの配置は、隣接する表示ラインＬ間において列方向に同じ色の放電セルＣ１が重ならないようにすればよく、図４の例に限らず、例えば、同じ色の蛍光体層が上側の表示ラインＬよりも下側の表示ラインＬにおいて右方向に一列ずつずれるような他の態様でもよい。
【００５１】
また、上記においては、データ切替回路２８がフレーム・メモリ回路２３と列電極ドライバ２７の間に接続されている例が示されているが、データ切替回路２８の接続位置は、上記の例に限らず、例えば階調処理回路２２とフレーム・メモリ回路２３の間や、列電極ドライバ２７と列電極Ｄ１１〜Ｄ１ｍの間等、アドレス・データ信号のアドレス・データの順序を切り替えられる位置であれば、どの位置でも良い。
【実施例２】
【００５２】
図７ないし９は、この発明によるＰＤＰ装置の実施形態における第２の実施例を示している。
【００５３】
この第２実施例におけるＰＤＰ装置の図示しない前面ガラス基板側の構成については、図３の第１実施例の場合と同様である。
【００５４】
図７ないし１０において、この第２実施例におけるＰＤＰ装置は、背面ガラス基板１３上にＲ用列電極ＤＲが形成されて第１列電極保護層３１によって被覆され、この第１列電極保護層３１上にＧ用列電極ＤＧが形成されて第２列電極保護層３２によって被覆され、さらに、この第２列電極保護層３２上にＢ用列電極ＤＢｂが形成されて第３列電極保護層３３によって被覆されている。
【００５５】
このＲ用列電極ＤＲ，Ｇ用列電極ＤＧ，Ｂ用列電極ＤＢの形状については、後で詳述する。
【００５６】
そして、この第３列電極保護層３３上に列方向に延びる縦壁部３５Ａと横壁部３５Ｂとを有する略格子形状の隔壁３５が形成され、この隔壁３５によってマトリクス状に区画された放電セルＣ２内に、赤（Ｒ），緑（Ｇ），青（Ｂ）の蛍光体層３６Ｒ，３６Ｇ，３６Ｂが、行方向に順に並ぶように形成されている。
【００５７】
この蛍光体層３６Ｒ，３６Ｇ，３６Ｂの配列は、第１実施例の場合と異なり、図８ないし１０に示されるように、同じ色の蛍光体層が上側の表示ラインよりも下側の表示ラインにおいて右方向に一列ずつずれるように設定されている。
【００５８】
一画素は、行方向に並んだ三個の放電セルＣ２によって構成されて、パネル面において行方向および列方向にマトリクス状に配列され、上から列方向に順に並ぶ画素Ｇ１１およびＧ１２，Ｇ１３は、それぞれの色の配置が、Ｇ１１（Ｒ，Ｇ，Ｂ），Ｇ１２（Ｂ，Ｒ，Ｇ），Ｇ１３（Ｇ，Ｂ，Ｒ）のように行方向に一個ずつずれた態様になっている。
【００５９】
なお、上記のように列方向に沿って並んだ異なる色の蛍光体層３６Ｒ，３６Ｇ，３６Ｂは、隔壁３５の横壁部３５Ｂによってそれぞれの間が仕切られることにより、列方向に隣接する他の蛍光体層との間に混色が生じるのが防止されている。
【００６０】
そして、列方向に並ぶそれぞれ一列の画素Ｇ１１，Ｇ１２，Ｇ１３，Ｇ１１，Ｇ１２，Ｇ１３，…に対して、三本のＲ用列電極ＤＲ，Ｇ用列電極ＤＧ，Ｂ用列電極ＤＢｂが一組になってそれぞれ設けられている。
【００６１】
Ｒ用列電極ＤＲは、この列方向に一列に並ぶ画素Ｇ１１，Ｇ１２，Ｇ１３の赤色の蛍光体層３６Ｒが形成されている放電セルＣ２にそれぞれ対向するように屈曲した形状に形成されている。
【００６２】
すなわち、このＲ用列電極ＤＲは、図８に示されるように、画素Ｇ１１の左端に位置している赤色の蛍光体層３６Ｒが形成された放電セルＣ２と対向する位置において列方向に沿って下方向きに直線状に延びた後、隔壁３５の横壁部３５Ｂに対向する位置において行方向に沿って右方向に延び、次に、画素Ｇ１２の中央に位置している赤色の蛍光体層３６Ｒが形成された放電セルＣ２と対向する位置において列方向に沿って下方向きに直線状に延びた後、隔壁３５の横壁部３５Ｂに対向する位置において行方向に沿って右方向に延び、さらに、画素Ｇ１３の右端に位置している赤色の蛍光体層３６Ｒが形成された放電セルＣ２と対向する位置において列方向に沿って下方向きに直線状に延びた後、隔壁３５の横壁部３５Ｂに対向する位置において行方向に沿って左方向に延びて、再度、一行下に位置している画素Ｇ１１から上記と同様にして、それぞれ赤色の蛍光体層３６Ｒが形成された放電セルＣ２に対向されるように階段状に屈曲されている。
【００６３】
Ｇ用列電極ＤＧも、Ｒ用列電極ＤＲと同様に、この列方向に一列に並ぶ画素Ｇ１１，Ｇ１２，Ｇ１３の緑色の蛍光体層３６Ｇが形成されている放電セルＣ２にそれぞれ対向するように屈曲した形状、すなわち、図９に示されるように、画素Ｇ１１の中央に位置している緑色の蛍光体層３６Ｇが形成された放電セルＣ２から、画素Ｇ１２の右端に位置している緑色の蛍光体層３６Ｇが形成された放電セルＣ２，画素Ｇ１３の左端に位置している緑色の蛍光体層３６Ｇが形成された放電セルＣ２に順に対向してゆくように、隔壁３５の横壁部３５Ｂに対向する位置において階段状に屈曲した形状に形成されている。
【００６４】
Ｂ用列電極ＤＢも、Ｒ用列電極ＤＲと同様に、この列方向に一列に並ぶ画素Ｇ１１，Ｇ１２，Ｇ１３の青色の蛍光体層３６Ｂが形成されている放電セルＣ２にそれぞれ対向するように屈曲した形状、すなわち、図１０に示されるように、画素Ｇ１１の右端に位置している青色の蛍光体層３６Ｂが形成された放電セルＣ２から、画素Ｇ１２の左端に位置している青色の蛍光体層３６Ｂが形成された放電セルＣ２，画素Ｇ１３の中央に位置している青色の蛍光体層３６Ｂが形成された放電セルＣ２に順に対向してゆくように、隔壁３５の横壁部３５Ｂに対向する位置において階段状に屈曲した形状に形成されている。
【００６５】
この実施例におけるＰＤＰ装置は、前述した第１実施例の場合と同様に、各Ｒ用列電極ＤＲ，Ｇ用列電極ＤＧ，Ｂ用列電極ＤＢに印加されるアドレス・データ信号に基づくデータ・パルスによって、前面ガラス基板に形成されている行電極との間でアドレス放電が発生されて、各画素Ｇ１１，Ｇ１２，Ｇ１３においてアドレス・データに対応する色の発光が行われる。
【００６６】
これによって、第１実施例の場合と同様に、行方向および列方向にマトリクス状に配置された放電セルＣ２内に、列方向において隣接する放電セルＣ２間で色が互いに異なるなるように蛍光体層３６Ｒ，３６Ｇ，３６Ｂが形成されていることによって、例えば、単色のラスタ信号によって画像表示を行う場合等に、従来のＰＤＰでは同じ色の発光が列方向に筋状に行われていたのに対し、同じ色の発光が隣接する表示ライン間でずれた位置で行われるようになる。
【００６７】
この際、斜め方向に発光を行わない放電セルＣ２が列状に並んでも、人間の目は、縦方向および横方向における視覚感度に対して斜め方向に対する視覚感度が低いことから、縦方向に発光が行われていない放電セルＣ２が並ぶ場合よりも気にならなくなり、この結果、上記ＰＤＰ装置は、空間周波数が高く精細に感じられる画像の表示を行うことが出来るようになる。
【００６８】
そして、上記ＰＤＰ装置は、放電セルＣ２内に形成されている蛍光体層３６Ｒ，３６Ｇ，３６Ｂの各色ごとに、専用のＲ用列電極ＤＲ，Ｇ用列電極ＤＧ，Ｂ用列電極ＤＢが形成されていることによって、第１実施例のように、ＰＤＰの駆動装置にアドレス・データ信号の切り替えを行うデータ切替回路等を設ける必要が無くなるので、第１実施例のＰＤＰ装置に比べて駆動装置の構成が簡易になる。
【００６９】
なお、上記ＰＤＰ装置において、放電セルＣ２の蛍光体層３６Ｒ，３６Ｇ，３６Ｂの配置は、隣接する表示ライン間において列方向に同じ色の放電セルＣ２が重ならないようにすればよく、上記の例に限らず、例えば、同じ色の蛍光体層が上側の表示ラインよりも下側の表示ラインにおいて左方向に一列ずつずれるような他の態様でもよい。
【００７０】
また、Ｒ用列電極ＤＲ，Ｇ用列電極ＤＧ，Ｂ用列電極ＤＢの形成順序も、上記の例に限らず、任意の順序で形成することが出来る。
【図面の簡単な説明】
【００７１】
【図１】従来例を示す斜視図である。
【図２】従来の蛍光体層の配置を示す正面図である。
【図３】この発明の実施形態における第１実施例を示す斜視図である。
【図４】同実施例における蛍光体層の配置および画素の構成を示す正面図である。
【図５】同実施例における駆動装置の構成を示すブロック図である。
【図６】同実施例におけるアドレス・データ信号の切り替えの態様を示す説明図である。
【図７】この発明の実施形態における第２実施例を示す断面図である。
【図８】同実施例のＲ用列電極の形状を示す正面図である。
【図９】同実施例のＧ用列電極の形状を示す正面図である。
【図１０】同実施例のＢ用列電極の形状を示す正面図である。
【符号の説明】
【００７２】
１０        …前面ガラス基板（基板）
１３        …背面ガラス基板（基板）
１５        …隔壁
１５Ａ      …縦壁部
１５Ｂ      …横壁部
１６Ｒ，１６Ｇ，１６Ｂ  …蛍光体層
２０        …駆動装置
２２        …階調処理回路（アドレス・データ出力部材）
２３        …フレーム・メモリ回路（アドレス・データ出力部材）
２４        …パルス生成回路
２７        …列電極ドライバ
２８        …データ切替回路（データ切替部材）
３１        …第１列電極保護層（保護層）
３２        …第２列電極保護層（保護層）
３３        …第３列電極保護層（保護層）
３５        …隔壁
３５Ａ      …縦壁部
３５Ｂ      …横壁部
３６Ｒ，３６Ｇ，３６Ｂ  …蛍光体層
Ｃ１，Ｃ２  …放電セル（単位発光領域）
Ｄ１        …列電極
ＤＲ        …Ｒ用列電極
ＤＧ        …Ｇ用列電極
ＤＢ        …Ｂ用列電極
Ｇ１，Ｇ２，Ｇ３，Ｇ１１，Ｇ１２，Ｇ１３  …画素
Ｘ１，Ｙ１  …行電極
【図１】
2005339945.tif 000003
【図２】
2005339945.tif 000004
【図３】
2005339945.tif 000005
【図４】
2005339945.tif 000006
【図５】
2005339945.tif 000007
【図６】
2005339945.tif 000008
【図７】
2005339945.tif 000009
【図８】
2005339945.tif 000010
【図９】
2005339945.tif 000011
【図１０】
2005339945.tif 000012